(57)【要約】      （修正有）【課題】筐体の前面側から開口部に取り付けられる開口プレートを提供する。【解決手段】少なくとも１つの側面に開口部１４を有した筐体２と、筐体の前面を覆う扉と、開口部１４を覆う開口プレート４０を備えた電気電子機器収納用キャビネットであって、開口部１４は、筐体２の前面側から続く切り欠き状に形成される。開口プレート４０は、開口部１４の縁部を挟み込むガイド部４１を備え、筐体２の前面側から開口部１４に摺動自在に取り付けられる。【選択図】図７
2020136295.tif 000002
【特許請求の範囲】
【請求項１】
少なくとも１つの側面に開口部を有した筐体と、筐体の前面を覆う扉と、開口部を覆う開口プレートを備えた電気電子機器収納用キャビネットであって、
開口部は、筐体の前面側から続く切り欠き状に形成され、
開口プレートは、開口部の縁部を挟み込むガイド部を備え、
筐体の前面側から開口部に摺動自在に取り付けられる電気電子機器収納用キャビネット。
【請求項２】
開口プレートは、筐体の前面側に形成される前面部にねじ固定される前側折曲片を有し、
前記前側折曲片は、扉を閉じた際に、扉に覆われる請求項１に記載の電気電子機器収納用キャビネット。
【請求項３】
開口プレートは、筐体内に設置される電気電子機器に接続される電源線若しくは通信線の固定に用いられる配線固定部を有する請求項２に記載の電気電子機器収納用キャビネット。
【発明の詳細な説明】
【技術分野】
【０００１】
本発明は、電気電子機器収納用キャビネットに関するものである。
【背景技術】
【０００２】
特許文献１に記載されているように、電線又は通信線を電気電子機器収納用キャビネットから排出するために、電気電子機器収納用キャビネットの側面に開口を設けることが知られている。特許文献１に記載された構造では、開口を使用しない場合には、側方から開口をカバーで覆い、外側からこのカバーをねじ固定する。
【先行技術文献】
【特許文献】
【０００３】
【特許文献１】特開２００１−１７７９２５号公報
【０００４】
ところで、開口を覆うカバーは、キャビネットの外側からネジ固定されるため、カバーの取り付けを行うための作業スペースがキャビネットの周囲に必要となる。
【発明の概要】
【発明が解決しようとする課題】
【０００５】
本件の発明者は、この点について鋭意検討することにより、解決を試みた。本発明が解決しようとする課題は、開口プレートを筐体の前面側から開口部に取り付けられるようにすることである。
【課題を解決するための手段】
【０００６】
上記課題を解決するため、少なくとも１つの側面に開口部を有した筐体と、筐体の前面を覆う扉と、開口部を覆う開口プレートを備えた電気電子機器収納用キャビネットであって、開口部は、筐体の前面側から続く切り欠き状に形成され、開口プレートは、開口部の縁部を挟み込むガイド部を備え、筐体の前面側から開口部に摺動自在に取り付けられる電気電子機器収納用キャビネットとする。
【０００７】
また、開口プレートは、筐体の前面側に形成される前面部にねじ固定される折り曲げ片を有し、前記折り曲げ片は、扉を閉じた際に、扉に覆われる構成とすることが好ましい。
【０００８】
また、開口プレートは、筐体内に設置される電気電子機器に接続される電源線若しくは通信線の固定に用いられる配線固定部を有する構成することが好ましい。
【発明の効果】
【０００９】
本発明では、開口プレートを筐体の前面側から開口部に取り付けることが可能となる。
【図面の簡単な説明】
【００１０】
【図１】実施形態における電気電子機器収納用キャビネットの斜視図である。
【図２】図１に示した電気電子機器収納用キャビネットの分解斜視図である。
【図３】図１に示した筐体の斜視図である。
【図４】図３において破線で囲んだ部分のＩＶ−ＩＶ断面図である。
【図５】筐体と開口プレートの斜視図である。
【図６】開口プレートを後側から見た斜視図である。
【図７】開口プレートを筐体に取り付ける途中の状態を示した斜視図である。
【図８】蝶番部材の斜視図である。
【図９】図８とは異なる方向から見た蝶番部材の斜視図である。
【図１０】図３において破線で囲んだ部分のＸ−Ｘ断面図である。
【図１１】電気電子機器収納用キャビネットの下側に位置する下側蝶番部材の部分拡大図である。
【図１２】筐体の前面部に蝶番部材を固定した状態を示す部分拡大図である。
【図１３】後側から見た扉における戸当たり部材と、戸当たり部材が取り付けられる部分の斜視図である。
【図１４】戸当たり部材の側面図である。
【図１５】戸当たり部材の平面図である。
【図１６】戸当たり部材を取り付けた扉の背面図である。
【図１７】図１６における戸当たり部材周りのＸＶＩＩ−ＸＶＩＩ断面図である。
【図１８】戸当たり部材を取り付けた扉の側面図である。
【図１９】図１８における戸当たり部材周りのＸＩＸ−ＸＩＸ断面図である。
【発明を実施するための形態】
【００１１】
以下に発明を実施するための形態を示す。図１乃至図４に示されていることから理解されるように、本実施形態の電気電子機器収納用キャビネット１は、側板１１を前面開口部１２側に折り曲げることで形成された前面部１３を有する筐体２と、筐体２の前面開口部１２を覆う扉３と、扉３と筐体２を連結する蝶番部材５０を備え、蝶番部材５０が筐体２の前面部１３に支持されたものである。この電気電子機器収納用キャビネット１の蝶番部材５０は、蝶番部材５０にアース線を取り付けるために用いられるアース端子部５４を備え、アース端子部５４の少なくとも一部が前面開口部１２の間口の外側に位置する。このため、機器取付スペースが確保されるとともに、アース端子部５４の取り付けの手間を省き、アース端子部５４が機器の収納や配線作業の障害となることを抑制することが可能となる。また、蝶番部材５０にアース端子部５４を設けるため、部品点数を抑制することができる。
【００１２】
また、この電気電子機器収納用キャビネット１の蝶番部材５０は、前面部１３に対向配置される当接部５１を備えるとともに、当接部５１から延びる延設部５２を屈曲させた屈曲部５３より先端側に、アース線を取り付けるために用いられるアース端子部５４を備えている。そして、当接部５１から延びる延設部５２を屈曲させた屈曲部５３が前面開口部１２の間口の外側に位置するものとなっている。
【００１３】
また、図１、図２、図５乃至図７に示されていることから理解されるように、実施形態の電気電子機器収納用キャビネット１は、少なくとも１つの側面に開口部１４を有した筐体２と、筐体２の前面を覆う扉３と、開口部１４を覆う開口プレート４０を備えている。また、この電気電子機器収納用キャビネット１の開口部１４は、筐体２の前面側から続く切り欠き状に形成され、開口プレート４０は、開口部１４の縁部を挟み込むガイド部４１を備え、筐体２の前面側から開口部１４に摺動自在に取り付けられるものである。このため、筐体２の前面側から開口部１４を取り付けることが可能となる。
【００１４】
ここで、実施形態の電気電子機器収納用キャビネット１を例に挙げて、電気電子機器収納用キャビネット１の構成について説明する。実施形態の電気電子機器収納用キャビネット１は、前面開口部１２を備える筐体２と筐体２の前面開口部１２を覆う扉３を備えている。また、実施形態の筐体２には、容易に入線を行うことができるように、天井板１５と底板１６に開口部１４を備えている。実施形態の開口部１４の端部は、前面部１３の端部よりも内側に突出して形成され、開口部１４の左右幅は、前面開口部１２の間口よりも小さく形成されている。なお、入線に使用しない開口部１４は、開口プレート４０で塞ぐことができる。
【００１５】
実施形態の電気電子機器収納用キャビネット１は、筐体２の前側からの作業だけで開口プレート４０を筐体２に取り付けることができるように構成されている。より具体的には、開口部１４は、筐体２の前面側から続く切り欠き状に形成され、開口プレート４０は、開口部１４の縁部を挟み込むガイド部４１を備えた構成としている。このように構成することで、開口プレート４０を筐体２の前面側から開口部１４に摺動自在に取り付けられるようにしている。より具体的には、ガイド部４１は、中間片４８と後側折曲片４４の間にスリット４５が形成され、スリット４５に開口部１４の端部が挟み込まれ、摺動可能となる。このため、電気電子機器収納用キャビネット１の配置の自由度を高めることができる。
【００１６】
実施形態の開口プレート４０は、筐体２の開口部１４を覆うことが可能な中間片４８を備えている。また、筐体２の前面側に形成される前面部１３にねじ固定される前側折曲片４２を有している。この前側折曲片４２は、筐体２の前側で上方若しくは下方に延びるように構成されており、少なくともその一部が、扉３を閉じた際に、扉３に覆われる箇所で固定される。このため、扉３を開けなければ、開口プレート４０を筐体２から取り外すことができないこととなり、防犯性能に優れたものとなる。なお、前面側折曲片４２には、ねじ固定に利用されるねじ穴４９が設けられている。
【００１７】
また、実施形態の開口プレート４０は、開口プレート４０の後側で上方若しくは下方に延びるように構成された後側折曲片４４を備えたものである。この後側折曲片４４は、筐体２の内部に向けて突出するように位置するものである。実施形態の後側折曲片４４は、中間片４８とともにガイド部４１を構成する。つまりは、実施形態の開口プレート４０は、中間片４８と後側折曲片４４の一部で、開口部１４の縁部を挟み込むことができるように構成されている。
【００１８】
実施形態の開口プレート４０は、中間片４８が筐体２の開口部１４の縁部の外側面に対向し、後側折曲片４４が開口部１４の縁部の内側面に対向して摺動可能となるように構成されている。このようなことを可能とするため、実施形態の後側折曲片４４の左右端部は、中間片４８に隣接する部位が一部切り欠かれたようにくびれた構成となっている。
【００１９】
実施形態の開口プレート４０は、筐体２内に設置される電気電子機器に接続される電源線若しくは通信線の固定に用いられる配線固定部４３を有する構成となっている。図６に示す例の配線固定部４３は、孔状の配線固定部４３を後側折曲片４４に備えたものである。開口プレート４０に設けた配線固定部４３を用いて配線を固定すれば、開口プレート４０の近傍のスペースを利用して配線を固定することができ、スペースの有効利用を促進することができる。また、配線固定部４３として孔をあけた場合、部品点数の抑制にもなる。
【００２０】
実施形態の筐体２は、筐体２の左右に位置する側板１１から前面開口部１２に向けて垂直に折り曲げた前面部１３を備えている。このうち、一方の前面部１３（図３では左側の前面部１３）には、扉３に備えるハンドル錠３７の係止受２７を備えている。また、他方の前面部１３（図３では右側の前面部１３）には、扉３を回動可能に支持するために用いられる蝶番部材５０が上下に間隔をあけて取り付けられている。
【００２１】
図８及び図９に示すことから理解されるように、実施形態では、筐体２側に取り付けられた蝶番部材５０は、一つの金属製部材からなるものである。この蝶番部材５０は、筐体２の前面部１３の裏面（筐体２の内側）に対向するように当接する当接部５１を備えている。また、当接部５１から開口間口方向（図４では左方向）に延設した延設部５２を折り曲げて屈曲部５３を形成しており、この屈曲部５３より先端側にアース端子ネジ９１を備えたアース端子部５４を備えている。このアース端子部５４に備えらえたアース端子ネジ９１を用いることで、アース端子部５４に対するアース線の着脱を容易に行うことができる。このように、蝶番部材５０にアース端子部５４を備えているため、アース端子部５４のみを筐体に取り付ける手間を省くことができ、作業性を良くすることができる。
【００２２】
蝶番部材５０の屈曲部５３は、前面開口部１２の間口の外側に配置される。このため、機器の取り付けや配線作業時にアース端子部５４が接触することが抑制され、作業性を高めることができる。また、図４及び図１０に示すことから理解されるように、実施形態では、蝶番部材５０の屈曲部５３は、筐体２の内側、より詳しくは、筐体２の前面部１３の裏面側、に配置される。このため、機器取付スペースとしては有効に利用できない筐体２の前面部１３の裏面側付近にアース端子部５４が配置される。よって、アース端子部５４は機器取付スペースから離間した位置に配置されることになるため、機器取付スペースを有効に利用できる。なお、図４に示す例では、アース端子部５４全体が前面開口部１２の間口の外側に配置されている。このため、より一層、機器の取り付けや配線作業時の作業性を高めることができる。
【００２３】
実施形態のアース端子部５４は、当接部５１より筐体２の中央側、かつ、当接部５１の斜め後方に延びるように構成されている。このような構成とすることにより、アース端子部５４を筐体２の前面開口部１２の方向に向かせることができるため、アース端子部５４へアース端子ねじ９１を締め付けたり弛めたりする際の作業性などを良くすることができる。
【００２４】
実施形態では、筐体２の前面部１３の表面（筐体２の外側）に前面部１３と直交するように延びる蝶番軸受部５５を備えている。この蝶番軸受部５５には、軸受穴５６が設けられており、扉３に備えられた蝶番部６０の蝶番軸６１が軸受穴５６に嵌った状態とすることで、図１１に示すように、筐体２と扉３が連結することになり、扉３を支持することができる。また、実施形態では、当接部５１と蝶番軸受部５５とは、当接部５１から前方に突出する立設部５７によってつながっている。なお、立設部５７は、当接部５１及び蝶番軸受部５５の双方と直交するように延びた部位となっている。
【００２５】
ところで、実施形態の蝶番部材５０のうち、筐体２の下側に設置される下蝶番部材５０には、扉３の開閉の際などに、比較的大きめの荷重が掛かり得る。このような力が蝶番部材５０に掛かった場合、蝶番部材５０から、筐体２の前面部１３に掛かる力が大きくなる。一方、実施形態の下蝶番部材５０の当接部５１は、蝶番軸受部５５よりも上側に位置する部位が上下方向に延びるように構成されている。扉３から掛けられる荷重により、下側に設置される蝶番部材５０を回転させるように力が掛かるが、当接部５１は、蝶番軸受部５５よりも上側に位置する部位が上下方向に延びるように構成され、前面部１３の裏面に対向するように当接しているため、下側に設置される蝶番部材５０から前面部１３に対して局所的に大きな荷重が掛けられることを回避できる。したがって、別に補強部材を備える必要がなく、部品点数の削減になる。
【００２６】
実施形態の蝶番部材５０では、アース端子部５４と蝶番軸受部５５との間に当接部５１が位置しているが、この当接部５１には、筐体２における蝶番部材５０の位置を定める際に用いられる位置決め部５８が設けられている。実施形態の位置決め部５８は、凸状となっており、この位置決め部５８が筐体２の前面部１３に設けられた凹部１７に嵌ることで、概略の位置決めが可能となっている。
【００２７】
このような構成であれば、位置決め部５８を用いて、蝶番部材５０を筐体２の前面部１３に固定した状態で、位置決め部５８とは異なる箇所に設けられた穴部５９に雄ねじ９３を挿し込み、ねじ止めすることができる（図１２参照）。このようにすれば、ねじ止め作業時にも、蝶番部材５０が回転することはなく、作業性が良い。また、ねじ止めを１ヶ所で行うだけでも固定が可能となる。このように、位置決め部５８が用いられると、部品点数を削減でき、作業性を良くすることができる。
【００２８】
ところで、図２及び図１３に示すことから理解されるように、実施形態においては、扉３の内側に戸当たり部材７０を備えた構成としている。この戸当たり部材７０は、中央にツメ７１を備えており、扉３側に設けた開口１８にツメ７１を係止させることで戸当たり部材７０を扉３に取り付けるものである。ところで、戸当たり部材７０がツメ７１を持つだけの構造であると、扉３の開閉時などに、扉３に強い衝撃が加わると、ツメ７１の係止がはずれ、戸当たり部材７０が外れるおそれがある。
【００２９】
そこで、図１３から図１５に示すことから理解されるように、実施形態の戸当たり部材７０は、ツメ７１の上下に、扉３の端部を挟みこむ腕部７２を備えた構成としている。この腕部７２は筐体２を前後方向から挟みこむように、前側片７３と後側片７４を備えている。また、前側片７３と後側片７４のあいだに、凸部７５を備えている。
【００３０】
これに対して、図１３に示すことから理解されるように、扉３側には、戸当たり部材７０のツメ７１と対応する位置に開口１８、腕部７２の凸部７５と対応する位置に切り欠き１９を備えている。このような扉３に対して、戸当たり部材７０を扉３の端部側から装着すると、図１６から図１９に示すことから理解されるように、ツメ７１が開口１８に係止される。また、腕部７２が扉３の端部を挟みこみ、前側片７３と後側片７４の間に形成された凸部７５が切り欠き１９と当接する。このため、左右方向に対する衝撃に対しては、ツメ７１と腕部７２の基端側で衝撃を受けることができる。また、上下方向に対する衝撃に対しては、凸部７５と切り欠き１９の端部とが当接し衝撃を受けることができる。このように上下左右の衝撃に対して対応可能な構造であるため、戸当たり部材７０の脱落を防ぐことができる。
【００３１】
ところで、実施形態の戸当たり部材７０は、筐体２の前面部１３（図１では左側板１１側）に、戸当たり部材７０が当接し、戸当たりとして機能する。この戸当たり部材７０には、後面側に突出した突出部７６を備えた構成としている。また、筐体２の前面部１３には、開口２１を備えており、扉３を閉じると突出部７６が開口２１に嵌合するように構成されている。このような構成であるため、扉さがりを防ぐことができる。
【００３２】
なお、本実施形態の電気電子機器収納用キャビネット１は、上下対象の構造となっている。このため、筐体２を上下反転し、扉３に備えるハンドルの向きを変えることによって、扉３の左右開きを変更することができる。つまり、使用者が扉３の開閉方法を選択してキャビネット１を取り付けることができる。したがって、例えば、右開きで使用していたものを左開きで使用しようとする場合であっても、蝶番部材５０や戸当たり部材７０を取り替える必要がなく、また、それらの位置を変更する必要もない。したがって、用意すべき部品点数を削減できるとともに、作業の手間を抑制することができる。
【００３３】
以上、実施形態を例に挙げて本発明について説明してきたが、本発明は上記実施形態に限定されることはなく、各種の態様とすることが可能である。例えば、実施形態では、蝶番はピボットヒンジを使用しているが、この形式の蝶番に限るものではない。
【００３４】
開口プレートに設けられる配線固定部は、孔に限る必要は無く、配線固定部材を開口プレートに設けても良い。また、配線固定部は、後側折曲片に設ける必要は無く、開口プレートのいずれの箇所に設けても良い。
【符号の説明】
【００３５】
１  電気電子機器収納用キャビネット
２  筐体
３  扉
１４  開口部
４０  開口プレート
４１  ガイド部
４２  前側折曲片
４３  配線固定部
【図１】
2020136295.tif 000003
【図２】
2020136295.tif 000004
【図３】
2020136295.tif 000005
【図４】
2020136295.tif 000006
【図５】
2020136295.tif 000007
【図６】
2020136295.tif 000008
【図７】
2020136295.tif 000009
【図８】
2020136295.tif 000010
【図９】
2020136295.tif 000011
【図１０】
2020136295.tif 000012
【図１１】
2020136295.tif 000013
【図１２】
2020136295.tif 000014
【図１３】
2020136295.tif 000015
【図１４】
2020136295.tif 000016
【図１５】
2020136295.tif 000017
【図１６】
2020136295.tif 000018
【図１７】
2020136295.tif 000019
【図１８】
2020136295.tif 000020
【図１９】
2020136295.tif 000021